(57)【要約】【課題】撮像部での撮影で得た主画像のサブ画像を簡単に撮像装置内に残すことができる撮像装置を提供する。【解決手段】撮像部と、画像表示部と、記憶部と、インターフェース部と、制御部とを備えた撮像装置であって、制御部では、撮像部での撮影で得た主画像を外部記憶装置に保存する制御を行う。また、制御部では、主画像を外部記憶装置に保存する際に、画像表示部の表示画素数を超える画素数の主画像に対して、該主画像の画素数を表示画素数に変換してサブ画像を作成し、そのサブ画像の画像データを記憶部に保存する。この保存処理により、サブ画像を簡単に大量に撮像装置内に残すことができる。【選択図】図２
2009260814.tif 000002
【特許請求の範囲】
【請求項１】
像光の撮像を行って、画像データを得る撮像部と、
前記撮像部で得た画像データを、所定の画素数で表示する画像表示部と、
前記撮像部で得た画像データを記憶する記憶部と、
外部記憶装置と接続可能なインターフェース部と、
前記撮像部で撮影された画像データを前記インターフェース部を介して接続された前記外部記憶装置に記憶するとともに、その外部記憶装置に撮影により得られた画像データを記憶した際に、前記所定の画素数を超える画素数の該画像データに対して、該画像データの画素数を前記所定の画素数に変換して、その変換された画像データを前記記憶部に記憶する制御を行う制御部とを備える
撮像装置。
【請求項２】
さらに、無線信号の送受信が可能なアンテナと、該無線信号の変復調を行う通信回路部とを備えて無線電話端末として構成された
請求項１に記載の撮像装置。
【請求項３】
前記制御部は、前記記憶部に記憶された画像データを前記インターフェース部から出力した際に、該出力した画像データを前記記憶部から削除するとともに、該出力した画像データの画素数が前記所定の画素数を超える場合に、該出力した画像データの画素数を前記所定の画素数に変換して、その変換された画像データを前記記憶部に記憶する制御を行う
請求項１に記載の撮像装置。
【請求項４】
前記記憶部が、前記画素数が変換された画像データを専用に格納する画像格納部を有する
請求項１に記載の撮像装置。
【請求項５】
前記制御部は、前記画像表示部の表示画面の縦横比と異なる縦横比を有する画像データを前記撮像部で得た場合に、前記撮像部で得た画像データの画素数を変換せずに、前記記憶部に記憶させる制御を行う
請求項１に記載の撮像装置。
【請求項６】
前記外部記憶装置が、フラッシュメモリカードである
請求項１に記載の撮像装置。
【発明の詳細な説明】
【技術分野】
【０００１】
本発明は、例えばカメラ付きの携帯電話端末に適用して好適な撮像装置に関し、より詳細には、撮影画像のデータを外部メモリに保存する機能を有する撮像装置に関する。
【背景技術】
【０００２】
現在、多くの携帯電話端末は、写真（画像）の撮影機能が備えており、その撮影機能には様々な撮影モードが用意されている。その一つに、パーソナルコンピュータ等の画面上での画像表示や写真のプリント等を主な目的とする撮影モード（いわゆるデジカメモードと呼ばれる撮影モード）がある。このデジカメモードでは種々のサイズの画像が撮影可能である。例えば、ＶＧＡ（Video Graphics Array）規格サイズの液晶画面（６４０画素×４８０画素）と同じ縦横比の画像はもちろん、ワイド写真やパノラマ写真を撮影可能である携帯電話端末も多い。
【０００３】
また、デジカメモードで撮影された画像の容量は大きい（例えば０．３ＭＢ以上）ので、携帯電話端末には、撮影画像を保存するための外部メモリ媒体が直接取り付けられている。携帯電話端末に使用される外部メモリ媒体としては、フラッシュメモリカードが一般的である。
【０００４】
また、従来、デジタルカメラ等の撮像装置においても、撮影した画像は通常、画像容量が大きいので、フラッシュメモリカード等の外部メモリ媒体に保存される（例えば、特許文献１参照）。
【０００５】
【特許文献１】特開２００８−５４１２８号公報
【発明の開示】
【発明が解決しようとする課題】
【０００６】
上述のように、従来、撮影機能付き携帯電話端末やデジタルカメラ等の撮像装置では、例えば表示画面のサイズ以上の画像を撮影した際には、その撮影された画像のデータは外部メモリ媒体に保存されるが、装置本体内部には保存されない。
【０００７】
このような撮像装置において、外部メモリ媒体を取り付けずに撮像装置を持ち歩く場合には、撮影画像を持ち歩くことができず、その撮影画像を他人に見せることができない。また、撮影した画像を撮像装置本体のメモリに保存するためには、外部メモリ媒体に保存された画像を本体メモリに移動またはコピーしなければならず、手間がかかるという問題があった。
【０００８】
本発明は、上記問題を解決するためになされたものである。本発明の目的は、撮影した画像を外部メモリ媒体だけでなく撮像装置本体にも簡単に残すことができる撮像装置を提供することである。
【課題を解決するための手段】
【０００９】
上記課題を解決するために、本発明の撮像装置は、撮像部と、画像表示部と、記憶部と、インターフェース部と、制御部とを備える。撮像部は、像光の撮像を行って、画像データを得る。画像表示部は、撮像部で得た画像データを、所定の画素数で表示する処理を行う。記憶部は、撮像部で得た画像データを記憶する。インターフェース部は、外部記憶装置と接続可能にする。制御部は、撮像部で撮影された画像データを、インターフェース部を介して接続された外部記憶装置に記憶（保存）する制御を行う。また、制御部は、その外部記憶装置に撮影により得られた画像データを記憶した際に、前記所定の画素数（画像表示部で表示画面の画素数）を超える画素数の該画像データに対して、該画像データの画素数を前記所定の画素数に変換して、その変換された画像データを記憶部に記憶する制御を行う。
【００１０】
本発明の撮像装置では、撮像部で撮影された画像データを外部記憶装置に保存する際に、制御部の制御により、表示画面のサイズに対応した画素数に変換された画像データが自動作成され、その変換された画像データが撮像装置内部の記憶部に保存される。すなわち、本発明の撮像装置は、撮像部で撮影された画像を外部記憶装置に保存すると、それと同時に表示画面サイズに対応した画素数に変換された画像を、撮像装置本体内の記憶部に自動的に保存するバックアップ機能を有する。
【発明の効果】
【００１１】
上述のように、本発明の撮像装置では、撮像部での撮影により得られた画像を外部記憶装置に保存する。その際、その撮影により得られた画像データの画素数を所定の画素数（表示画面の画素数）に変換した画像データが自動作成され、その変換された画像データが撮像装置内に保存される。従って、本発明によれば、撮像部での撮影により得られた画像データを、撮像装置の画像表示部で表示させるのに適したサイズ及びデータ量の画像データとして、簡単に撮像装置内に残すことができる。また、本発明によれば、撮像装置から外部記憶装置を取り外した場合でも、撮像装置内に良好に画像データを保存しておくことができ、撮影した画像を大量に持ち歩くことができる。
【発明を実施するための最良の形態】
【００１２】
本発明の撮像装置の一実施形態の例を、図面を参照しながら以下に説明する。
【００１３】
［撮像装置の構成］
本実施形態では、撮像装置として、撮影機能を有する移動通信端末を用いた例を説明する。なお、ここでいう移動通信端末は、いわゆる携帯電話端末と称されるものであり、無線電話用の基地局と無線通信を行う端末装置である。
【００１４】
図１に、本実施形態の移動通信端末の概略ブロック図を示した。移動通信端末１０は、図１に示すように、アンテナ１１と、制御部１２と、アンテナ１１と接続された通信回路１３と、表示部１４と、操作部１５と、記憶部１６とを備える。また、移動通信端末１０は、通話時の音声を出力するためのスピーカ１８と、通話時の音声を吸音するためのマイクロフォン１９と、通話時の音声データをデジタルアナログ変換する音声処理部２０とを備える。また、移動通信端末１０は、無線ＬＡＮ用通信回路２１と、無線ＬＡＮ用アンテナ２２とを備える。さらに、移動通信端末１０は、カメラ２３と、インターフェース部２４とを備える。
【００１５】
また、移動通信端末１０は、図１に示すように、制御ライン２５及びデータライン２６を備える。制御ライン２５は、これに接続されている各部を制御する信号を流す信号線である。移動通信端末１０内の幾つかの各部は、図１に示すように、制御ライン２５を通じて制御部１２と接続しており、制御部１２の制御により各部での処理が行われる。また、データライン２６は、これに接続されている各部間でデータ転送を行うための信号線である。なお、図１には示していないが、移動通信端末１０は電源部を備えており、電源部から各部に電力が供給されている。
【００１６】
制御部１２は、例えばＣＰＵ（Central Processing Unit）等の演算制御装置からなり移動通信端末１０を構成する各部を制御する。
【００１７】
通信回路１３は、制御部１２の制御により、アンテナ１１を介して携帯電話基地局（不図示）との間で送信信号の送信及び受信信号の受信を行う。なお、通信回路１３では携帯電話基地局とやり取りする電波の変調及び復調も行う。また、無線ＬＡＮ用通信回路２１は、制御部１２の制御に基づいて所定の変調及び復調を行い、無線ＬＡＮ用アンテナ２２を介して外部のアクセスポイント装置（不図示）との間で無線信号の送信及び受信を行う。
【００１８】
表示部１４（画像表示部）は、液晶ディスプレイ（ＬＣＤ：Liquid Crystal Display）などで構成される。なお、本実施形態では、液晶ディスプレイの画面サイズを６４０画素×４８０画素（ＶＧＡ規格サイズ）とする。ただし、ここでいう６４０画素×４８０画素の画面サイズは、画面全体のサイズである場合の他に、撮影された画像を表示させる領域のサイズである場合も含まれる。画面全体のサイズが画像を表示させる領域のサイズより大きい場合には、画像を表示させる領域の周囲に付随情報などを表示させる領域を有する。
【００１９】
また、操作部１５は、ジョグダイアルやキーパッドなどから構成される。操作部１５では、電話番号やメール文などの入力操作、各種モードの設定操作などの入力操作信号を入力することができる。なお、カメラ２３での撮影操作及びモード設定操作もこの操作部１５で行う。
【００２０】
記憶部１６は、フラッシュメモリ（半導体メモリ）等の不揮発性メモリから構成される。記憶部１６には、電話帳やスケジュール、メールメッセージ、動画、静止画、音楽、アプリケーションソフトウェア、ブックマーク、ウェブページ等の様々なデータ及びコンピュータプログラムが格納される。
【００２１】
また、記憶部１６は、カメラ２３で撮影して出力された画像データ（以下では、主画像ともいう）の画素数を削減（画素数の変換処理）して作成した画像データ（以下では、サブ画像ともいう）を保存するための専用のデータフォルダ（画像格納部）を有する。
【００２２】
なお、主画像の画像サイズ（画素数）はユーザ操作により設定される。また、サブ画像の画素数の詳細については後述するが、ここでは、画素数の変換を行う場合には、サブ画像のサイズは、表示部の画面サイズ（６４０画素×４８０画素：ＶＧＡ規格サイズ）に変換される。ただし、主画像の画像サイズがＶＧＡ規格サイズと同じ場合、またはＶＧＡ規格サイズよりも小さい場合には、サブ画像の画像サイズはそのままとし、画素数の変換は行わない。また、画像サイズの縦横比が特殊な比率（即ち縦横比が４：３以外の比率）の画像の場合にも、画素数の変換は行わない。
【００２３】
カメラ２３（撮像部）は、撮像素子と、その撮像素子に像光を入射させるレンズ機構と、撮像素子で撮像して得た画像信号を処理して出力する撮像信号処理部とを有する。また、カメラ２３では、種々のサイズの画像が撮影できる。
【００２４】
また、移動通信端末１０は、インターフェース部２４を介して、移動通信端末１０が備えるカードスロット（不図示）に装着された外部記憶装置３０と接続される。すなわち、インターフェース部２４を介して移動通信端末１０と外部記憶装置３０との間で互いにデータ転送を行うことができる。なお、本実施形態では、カメラ２３で撮影した画像（主画像）のデータを保存する外部記憶装置３０（以下では、外部メモリ３０ともいう）としてフラッシュメモリカードを用いる。
【００２５】
さらに、インターフェース部２４は、通信ポート２５に接続されており、この通信ポート２５を介して移動通信端末１０が外部の情報処理装置（パーソナルコンピュータ、外付けハードディスクなど）と接続可能な構成になっている。この通信ポート２５を介して移動通信端末１０が外部の情報処理装置に接続された場合には、移動通信端末１０の記憶部１６に記憶された画像データを外部の情報処理装置に転送することができる。なお、外部の情報処理装置と通信ポート２５とは、ＵＳＢ（Universal Serial Bus）ケーブル等の所定の通信ケーブルを介して接続される。
【００２６】
本実施形態の移動通信端末１０では、外部メモリ３０が取り付けられた状態で、保存先として外部メモリ３０が選択されていれば、カメラ２３で撮影した画像の画像データ（主画像）は、設定されたサイズのままで外部メモリ３０に保存される。そして、その際、主画像のサイズ（画素数）を表示部１４の表示画面サイズに変換したサブ画像が自動的に作成され、そのサブ画像のデータが記憶部１６のサブ画像専用の保存フォルダ（画像格納部）に保存される。
【００２７】
すなわち、本実施形態の移動通信端末１０は、カメラ２３で撮影した主画像のデータを外部メモリ３０に保存する際に、主画像に対応するサブ画像を移動通信端末１０本体にバックアップする機能を有する。この主画像及びサブ画像の保存処理は制御部１２の制御に基づいて行われる。なお、サブ画像を表示画面サイズで保存する理由は、画像を表示画面サイズ一杯で表示した際に良好な画質を確保する（画質の劣化を防ぐ）ためである。
【００２８】
また、上記サブ画像の作成及び保存処理は、撮影モードの中でも、パーソナルコンピュータ等の大画面での画像表示、画像のプリント等を主な目的とする撮影モード、いわゆるデジカメモードと呼ばれる撮影モードでのみ行う。待受画面の画像撮影を目的とした撮影モード（いわゆる壁紙モードと呼ばれる撮影モード）や動画撮影用の撮影モード（いわゆるムービーモードと呼ばれる撮影モード）では、上記サブ画像の作成及び保存処理は行わないものとする。
【００２９】
ここで、本実施形態の移動通信端末１０における主画像のデータサイズとそれに対応するサブ画像のデータサイズの関係の例を下記表１に示した。
【００３０】
【表１】
2009260814.tif 000003
【００３１】
表１に示すように、ＶＧＡ規格の表示画面と同じ縦横比の主画像に対しては、サブ画像のサイズは全て６４０画素×４８０画素（０．３ＭＢ）とした。また、ワイド画像やパノラマ画像（ＶＧＡ規格の表示画面と異なる縦横比の画像）に対しては、主画像と同じサイズのサブ画像を作成するようにした。これは、表示画面と異なる縦横比の画像を６４０画素×４８０画素のサイズで保存した場合には、画像の長手方向の両側の一部が切り取られ、大事な画像部分を消去する可能性があるためである。なお、サブ画像のサイズ設定は表１の例に限定されず、ユーザが適宜変更可能である。
【００３２】
［撮影画像の保存処理］
次に、本実施形態における撮影画像の保存処理を図２を参照しながら具体的に説明する。図２は、本実施形態の撮影画像の保存処理の手順を示したフローチャートである。また、図２中には、撮影画像の保存時（ステップＳ４、Ｓ５、Ｓ７及びＳ９）に表示部１４の表示画面（液晶ディスプレイ）に表示されるメッセージ例（図２中のＤ１〜Ｄ４）を示した。
【００３３】
まず、移動通信端末１０を撮影モードにして写真撮影を行う（図２中のステップＳ１）。この際、表１に示したいずれかのサイズ（６４０画素×４８０画素以上のサイズ）の主画像を撮影する。次いで、移動通信端末１０に外部メモリ３０（フラッシュメモリカード）が取り付けられているか否かが判定される（図２中のステップＳ２）。
【００３４】
移動通信端末１０に外部メモリ３０が取り付けられている場合には、ステップＳ２ではＹｅｓ判定となり、ステップＳ３に進む。ステップＳ３では、カメラ２３で撮影された主画像のサブ画像を自動作成するか否かを判定する。サブ画像の自動作成の「ＯＮ」または「ＯＦＦ」の設定は、撮影前に予めモニタ画面のサブメニューで設定する。
【００３５】
ステップＳ３でサブ画像自動作成の設定が「ＯＮ」の場合には、ステップＳ３での判定はＹｅｓ判定となる。この場合、カメラ２３で撮影された主画像はそのままの画素数で外部メモリ３０に保存され、それとともに該主画像に対応するサブ画像が自動的に作成され、そのサブ画像が記憶部１６に設けられたサブ画像専用の保存フォルダに保存される（図２中のステップＳ４）。この際、表示部１４の表示画面には図２中の画面Ｄ１に示すように、主画像が外部メモリ３０に保存され、サブ画像が移動通信端末１０本体に保存される旨のメッセージが表示される。そして、主画像及びサブ画像の保存が終了すれば、撮影モードに戻る（ステップＳ６）。
【００３６】
なお、上記ステップＳ４の処理時に、移動通信端末１０内の記憶部１６に空き容量がない場合や、記憶可能な最大ファイル数のファイルが既に記憶部１６に保存されている場合には、不要なデータを削除してサブ画像の保存容量を確保する。
【００３７】
また、ステップＳ４で主画像及びサブ画像が保存されている最中に、音声着信などの割り込みが発生した場合には、主画像の外部メモリ３０への保存処理は継続するが、サブ画像の移動通信端末１０本体への保存処理は中止するものとする。
【００３８】
一方、ステップＳ３でサブ画像自動作成の設定が「ＯＦＦ」の場合には、カメラ２３で撮影された主画像が外部メモリ３０に保存される（図２中のステップＳ５）。この際、表示部１４の表示画面には図２中の画面Ｄ２に示すように、主画像が外部メモリ３０に保存される旨のメッセージが表示される。そして、主画像の保存が終了すれば、撮影モードに戻る（ステップＳ６）。
【００３９】
次に、ステップＳ２に戻って、ステップＳ２でＮｏ判定となった場合（移動通信端末１０に外部メモリ３０が差し込まれていない場合）の処理動作（図２中の左側のフローチャート（ステップＳ７〜Ｓ１０））を説明する。
【００４０】
なお、以下に説明する処理動作では、移動通信端末１０本体に一旦保存された主画像を、パーソナルコンピュータや外付けハードディスク等の外部の情報処理装置（不図示）に保存する処理例について説明する。なお、移動通信端末１０と外部の情報処理装置とはＵＳＢケーブル等の通信ケーブルを介して接続されているものとする。また、以下の処理では、サブ画像自動作成の設定が「ＯＮ」になっているものとする。
【００４１】
ステップＳ２でＮｏ判定となった場合には、カメラ２３で撮影した主画像は移動通信端末１０内の記憶部１６に保存され、サブ画像は作成されない（図２中のステップＳ７）。この際、表示部１４の表示画面には図２中の画面Ｄ３に示すように、主画像が移動通信端末１０本体に保存される旨のメッセージが表示される。
【００４２】
次いで、移動通信端末１０内の記憶部１６に保存された主画像を外部の情報処理装置に保存（移動またはコピー）するか否かを判定する（図２中のステップＳ８）。主画像を外部の情報処理装置に保存する場合（ステップＳ８でＹｅｓ判定）には、主画像がインターフェース部２４を介して外部の情報処理装置内の記憶部に保存される。そして、主画像の保存と同時に、サブ画像が自動作成されて、記憶部１６内のサブ画像専用の保存フォルダに該サブ画像が保存される（図２中のステップＳ９）。この際、表示部１４の表示画面には図２中の画面Ｄ４に示すように、主画像が外部の情報処理装置に保存され、サブ画像が移動通信端末１０本体に保存される旨のメッセージが表示される。ただし、ステップＳ９において、主画像を外部の情報処理装置の記憶部に移動させる場合には、移動通信端末１０の記憶部１６に保存された主画像の画像データを削除する。
【００４３】
なお、ステップＳ９では、主画像を外部の情報処理装置に移動する場合にのみ、サブ画像のデータ保存を行い、主画像を外部の情報処理装置にコピーする場合には、サブ画像のデータ保存を行わないようにしてもよい。
【００４４】
そして、ステップＳ９における主画像及びサブ画像の保存処理が終了すれば、撮影モードに戻る（ステップＳ１０）。
【００４５】
一方、ステップＳ８でＮｏ判定の場合（主画像を外部の情報処理装置に保存しない場合）には、撮影モードに戻る（ステップＳ１０）。
【００４６】
本実施形態では、上述のようにして、カメラ２３で撮影した主画像に対応するサブ画像を作成して、該サブ画像を移動通信端末１０本体内に保存する。
【００４７】
なお、図２中のステップＳ７〜Ｓ９では、主画像のデータをパーソナルコンピュータや外付けハードディスク等の外部の情報処理装置に保存する場合の例を説明したが、本発明はこれに限定されない。例えば、ステップＳ７で主画像を移動通信端末１０内の記憶部１６に保存した後、フラッシュメモリカード等の外部メモリ３０を移動通信端末１０に取り付けて、主画像をその外部メモリ３０に保存してもよい。この場合においても、主画像を外部メモリ３０に保存した際に、該主画像に対応するサブ画像が作成され、該サブ画像が記憶部１６内のサブ画像専用の保存フォルダに保存される。
【００４８】
上述のように、本実施形態の移動通信端末１０では、主画像を外部メモリ３０または外部の情報処理装置に保存する際に、主画像に対応するサブ画像を自動作成して、該サブ画像を移動通信端末１０本体内に保存することができる。従って、本実施形態では、カメラ２３で撮影した主画像のサブ画像を移動通信端末１０本体内に簡単に残すことができる。それゆえ、ユーザに、いつでもどこでもたくさんの思い出を移動通信端末１０に残しておくことを促すことができる。また、本実施形態では、移動通信端末１０が外部メモリ３０を備えない（移動通信端末１０に外部メモリ３０が取り付けられていない）場合であっても、撮影した画像を大量に持ち歩くことができる。
【００４９】
また、本実施形態の移動通信端末１０では、記憶部１６には、サブ画像を保存するための専用のデータフォルダ（画像格納部）が設けられている。このように、サブ画像専用の保存フォルダを設けることにより、サブ画像を主画像とは別個に管理することができ、主画像から独立してサブ画像を簡単に編集することができる。
【００５０】
上記実施形態では、本発明の情報端末装置として、移動通信端末を例に挙げ説明したが、本発明はこれに限定されない。写真撮影機能、画像表示機能及び画像の保存機能を備える任意の撮像装置に適用可能であり、例えば、デジタルカメラ等にも本発明は適用可能である。
【００５１】
また、上記実施形態では、表示部の表示画面がＶＧＡ規格のサイズである場合の例を説明したが、本発明はこれに限定されない。任意の表示画面サイズの情報端末装置に適用可能である。例えば、表示画面がＱＶＧＡ（Quarter Video Graphics Array）規格であってもよい。
【図面の簡単な説明】
【００５２】
【図１】本発明の一実施形態に係る移動通信端末の概略ブロック図である。
【図２】本発明の一実施形態に係る撮影画像の保存処理の手順を示すフローチャートである。
【符号の説明】
【００５３】
１０…移動通信端末、１２…制御部、１４…表示部、１６…記憶部、２３…カメラ、２４…インターフェース部、２５…通信ポート、３０…外部記憶装置（外部メモリ）
【図１】
2009260814.tif 000004
【図２】
2009260814.tif 000005